(57)【要約】【課題】夜間などにおいても確実に操作することが出来るベンチレータを提供する。【解決手段】本発明は、車室に向けて送風するためのベンチレータ２であって、ベンチレータ本体４と、ベンチレータ本体に左右方向に揺動可能に取り付けられる縦ルーバー６と、ベンチレータ本体に上下方向に揺動可能に取り付けられる複数の横ルーバー８と、横ルーバーに対して左右方向に摺動可能に取り付けられると共にその後端部が縦ルーバーの一つに取り付けられるスライダーノブ１０と、このスライダーノブに設けられ、光を室内側に向けて放射する発光部３３と、導光部３２まで光を導く導光路８と、この導光路に光を与える光源２２と、を有する。【選択図】図２
2010143338.tif 000002
【特許請求の範囲】
【請求項１】
車室に向けて送風するためのベンチレータであって、
ベンチレータ本体と、
このベンチレータ本体に上下方向に揺動可能に取り付けられ左右方向に延びる複数の横ルーバーと、
上記ベンチレータ本体に左右方向に揺動可能に取り付けられ縦方向に延びる複数の縦ルーバーと、
上記横ルーバーの一つにその横ルーバーに対して左右方向に摺動可能に取り付けられると共にその後端部が上記縦ルーバーの一つに連動するスライダーノブであって、そのスライダーノブの上記左右方向の揺動で上記複数の縦ルーバーが左右方向に揺動し、そのスライダーノブの上下方向の揺動で上記複数の横ルーバーが上下方向に揺動するようになっているスライダーノブと、
このスライダーノブに設けられ、光を室内側に向けて放射する発光部と、
この発光部まで光を導く導光路と、
この導光路に光を与える光源と、
を有することを特徴とするベンチレータ。
【請求項２】
上記スライダーノブの一部は、少なくともその一部が導光材で形成されて導光路として機能し、
上記スライダーノブが取り付けられる横ルーバーは、少なくともその一部が導光材で形成されて導光路として機能し、
上記光源は、上記横ルーバーの導光路に光を与え、この横ルーバーに与えられた光は上記スライダーノブの導光路まで導かれ、この導かれた光が上記発光部から室内に向けて放射される請求項１に記載のベンチレータ。
【請求項３】
上記スライダーノブが取り付けられる横ルーバーの導光路は、上記横ルーバーを揺動させる揺動軸を通り、上記導光路から、上記スライダーノブの導光路へと光を伝達するようになっている請求項１又は請求項２に記載のベンチレータ。
【請求項４】
さらに、上記光源と、上記スライダーノブが取り付けられる横ルーバーの揺動軸に形成された導光路とを接続する導光体を有し、上記光源は、この導光体を介して上記横ルーバーの導光路に光を与える請求項３に記載のベンチレータ。
【請求項５】
上記光源は、上記スライダーノブが取り付けられる横ルーバーの揺動軸に形成された導光路に直接光を与えるように上記揺動軸に隣接して設けられている請求項１乃至４のいずれか１項に記載のベンチレータ。
【請求項６】
上記スライダーノブが取り付けられる横ルーバーは、導光材からなり、
その導光材は孔部を有し、
上記光源からその横ルーバーに与えられた光が、上記導光材と上記孔部の空気との屈折率の違いにより、スライダーノブの発光部の方向に反射して上記スライダーノブの導光路へと導かれる請求項１乃至５のいずれか１項に記載のベンチレータ。
【請求項７】
上記スライダーノブが取り付けられる横ルーバーの前縁部には、その導光路に導かれた光が発散して上記スライダーノブの導光路へと投光するようにするレンズが形成されている請求項１乃至６のいずれか１項に記載のベンチレータ。
【請求項８】
上記導光路は、透明又は半透明のアクリル又はポリカーボネートである請求項１乃至７のいずれか１項に記載のベンチレータ。
【請求項９】
上記アクリル又はポリカーボネートからなるスライダーノブ及びそのスライダーノブが取り付けられる横ルーバーは、上記光が導かれる部分を除き塗装されている請求項８に記載のベンチレータ。
【請求項１０】
上記スライダーノブは、スライダーノブ本体、及び、発光部を形成する透過材或いは反透過材が組み合わされて形成されている請求項１乃至９のいずれか１項に記載のベンチレータ。
【発明の詳細な説明】
【技術分野】
【０００１】
本発明は、ベンチレータに係り、特に、ルーバー及びスライダーノブが設けられているベンチレータに関する。
【背景技術】
【０００２】
従来、上下方向の風向調節をする部分に設けられた出射端と、左右方向の風向調節する部分に設けられた出射端とからそれぞれ光が出射されて、夜間などに空調装置の吹き出し口から出る風の方向を確認することが出来るベンチレータ装置が知られている（特許文献１）。
【０００３】
【特許文献１】特開平０７−２０５６４２号公報
【発明の開示】
【発明が解決しようとする課題】
【０００４】
しかしながら、この装置では、風向は分かるものの、風向を調節するための肝心なノブ自体を光らせるものではないため、不便である。
【０００５】
本発明は、上述した従来技術の問題点を解決するためになされたものであり、夜間などにおいても確実に操作することが出来るベンチレータを提供することを目的とする。
【課題を解決するための手段】
【０００６】
上記の目的を達成するために本発明によれば、車室に向けて送風するためのベンチレータであって、ベンチレータ本体と、このベンチレータ本体に上下方向に揺動可能に取り付けられ左右方向に延びる複数の横ルーバーと、ベンチレータ本体に左右方向に揺動可能に取り付けられ縦方向に延びる複数の縦ルーバーと、横ルーバーの一つにその横ルーバーに対して左右方向に摺動可能に取り付けられると共にその後端部が縦ルーバーの一つに連動するスライダーノブであって、そのスライダーノブの左右方向の揺動で複数の縦ルーバーが左右方向に揺動し、そのスライダーノブの上下方向の揺動で複数の横ルーバーが上下方向に揺動するようになっているスライダーノブと、このスライダーノブに設けられ、光を室内側に向けて放射する発光部と、この光透過部まで光を導く導光路と、この導光路に光を与える光源と、を有することを特徴としている。
【０００７】
このように構成された本発明においては、スライダーノブに設けられた発光部まで光を導く導光路が形成され、発光部から室内側に向けて光が放射されるので、夜間などにおいても確実に操作することが出来る。
【０００８】
また、本発明において、好ましくは、スライダーノブの一部は、少なくともその一部が導光材で形成されて導光路として機能し、スライダーノブが取り付けられる横ルーバーは、少なくともその一部が導光材で形成されて導光路として機能し、光源は、横ルーバーの導光路に光を与え、この横ルーバーに与えられた光はスライダーノブの導光路まで導かれ、この導かれた光が発光部から室内に向けて放射される。
このように構成された本発明においては、スライダーノブの一部及び横ルーバーの少なくともその一部が導光材で形成され、横ルーバーの導光路に与えられた光はスライダーノブの導光路まで導かれるので、確実にスライダーノブの発光部まで光を導くことができる。
【０００９】
また、本発明において、好ましくは、スライダーノブが取り付けられる横ルーバーの導光路は、横ルーバーを揺動させる揺動軸を通り、この導光路から、スライダーノブの導光路へと光を伝達するようになっている。
このように構成された本発明においては、横ルーバーを揺動させる揺動軸上に導光路が形成されているので、揺動軸と導光路を兼用して、効果的に光を導くことが出来る。
【００１０】
また、本発明において、好ましくは、さらに、光源と、スライダーノブが取り付けられる横ルーバーの揺動軸に形成された導光路とを接続する導光体を有し、光源は、この導光体を介して横ルーバーの導光路に光を与える。
このように構成された本発明においては、光源を揺動軸から離れた位置に設けても、導光体で有効に、導光路に光を導くことが出来る。
【００１１】
また、本発明において、好ましくは、光源は、スライダーノブが取り付けられる横ルーバーの揺動軸に形成された導光路に直接光を与えるように揺動軸に隣接して設けられている。
このように構成された本発明においては、より少ない損失で導光路に光を与えることが出来る。
【００１２】
また、本発明において、好ましくは、スライダーノブが取り付けられる横ルーバーは、導光材からなり、その導光材は孔部を有し、光源からその横ルーバーに与えられた光が、導光材と孔部の空気との屈折率の違いによってスライダーノブの発光部の方向に反射してスライダーノブの導光路へと導かれる。
このように構成された本発明においては、横ルーバーに与えられた光が、導光材と孔部の空気との屈折率の違いによりスライダーノブの発光部の方向に反射してスライダーノブの導光路へと導びかれるようになっているので、反射用のミラーなどを取り付けることなく、より簡易な方法で光を導くことが出来る。
【００１３】
また、本発明において、好ましくは、スライダーノブが取り付けられる横ルーバーの前縁部には、その導光路に導かれた光が発散してスライダーノブの発光部へと投光するようにするレンズが形成されている。
このように構成された本発明においては、光をレンズにより発光部へ向けて発散させることが出来るので、発光部の幅が長くても、その全幅から光を放射させることが出来る。
【００１４】
また、本発明において、好ましくは、導光路は、透明又は半透明のアクリル又はポリカーボネートである。
このように構成された本発明においては、これらの材料により光を効率よく導くことが出来る。
【００１５】
また、本発明において、好ましくは、アクリル又はポリカーボネートからなるスライダーノブ及びそのスライダーノブが取り付けられる横ルーバーは、光が透過或いは半透過する部分を除き塗装されている。
このように構成された本発明においては、光の損失を抑制することが出来る。
【００１６】
また、本発明において、好ましくは、スライダーノブは、スライダーノブ本体、及び、発光部を形成する光透過材或いは半透過材が組み合わされて形成されている。
このように構成された本発明においては、簡易な構造で発光部を設けることが出来る。
【発明の効果】
【００１７】
本発明のベンチレータによれば、夜間などにおいても確実に操作することが出来る。
【発明を実施するための最良の形態】
【００１８】
以下、添付図面を参照しながら本発明の好ましい実施の形態について説明する。
先ず、図１乃至図５により、本発明の実施形態によるベンチレータの概略構造を説明する。
図１は、本発明の実施形態によるベンチレータが装着されたダッシュボードを示す概略図であり、図２は、本発明の実施形態によるダッシュボードに装着される前のベンチレータを斜め上方から見た斜視図であり、図３は、本発明の実施形態によるベンチレータを分解した状態での縦ルーバ部品を示す斜視図であり、図４は、本発明の実施形態によるベンチレータを分解した状態での横ルーバー部品を示す斜視図であり、図５は、本発明の実施形態によるベンチレータを分解した状態でのスライダーノブを示す斜視図である。
本発明のベンチレータは、そのスライダーノブを光らせて、夜間でも乗員がそのノブを調節し易くする役割を有し、また、車内のイルミネーションともなる。
【００１９】
図１に示すように、ダッシュボード（インストルメントパネル）１には、送風口として、ベンチレータ２が装着されている。
図２に示すように、このベンチレータ２は、そのケースであるベンチレータ本体４と、鉛直方向に延び、左右に揺動する縦ルーバー６と、これらの縦ルーバー６の前方側（車室側）で水平方向に延び、上下に揺動する横ルーバー８と、縦ルーバー６及び横ルーバー８に取り付けられるスライダーノブ１０を有する。
【００２０】
図２及び図３に示すように、縦ルーバー６は、複数あり、それぞれ、揺動軸６ａを有する。  図２及び図４に示すように、横ルーバー８は、複数あり、それぞれ、揺動軸８ａを有する（図６及び図７参照）。
図５に示すように、スライダーノブ１０は、前方の縦ルーバー６に向けてＵ字状に開いた開口部１０ａを有する。この開口部１０ａの前方端部１０ｂは、縦ルーバー６の取付部６ｂ（図３参照）に連結され、乗員がスライダーノブ１０を左右に移動させると、縦ルーバー６が左右に揺動するようになっている。
【００２１】
一方、スライダーノブ１０は、その開口部１０ａが、横ルーバー８に嵌めあわされている。より詳細には、スライダーノブ１０の開口部１０ａは、横ルーバー８に取り付けられている。この取り付けにより、スライダーノブ１０は、横ルーバー８に対して左右方向に揺動可能である一方、横ルーバー８と共に上下方向に揺動可能となっている。
【００２２】
これらの構成により、乗員がスライダーノブ１０を左右に移動させると、スライダーノブ１０が左右方向に摺動して、上述した縦ルーバー６を左右方向に揺動させ、また、乗員がスライダーノブ１０を上下方向に移動させると、横ルーバー８が上下に揺動するようになっている。
【００２３】
次に、図２、図６及び図７により、本発明の実施形態によるベンチレータの主に導光路について説明する。図６は、本発明の実施形態による横ルーバー及び光路に関する部品を示す斜視図であり、図７は、本発明の実施形態による横ルーバー、スライダーノブ及び光路に関する部品を示す平面図である。
【００２４】
図２に示すように、ベンチレータ本体４には、導電線２０と、この導電線２０から電力を供給されて光るようになっているＬＥＤ（光源）２２と、このＬＥＤ２２を収容する連ケース２４と、ＬＥＤ２２からの光を導くガイドライト（導光体）２６とが取り付けられている。ガイドライト２６は、ＬＥＤ２２からの光を９０度方向に横ルーバー８に向けて反射する反射部２８を有する。
【００２５】
ここで、スライダーノブ１０及びこのスライダーノブ１０が取り付けられる横ルーバー８は、それらの中で光を導くように、透明或いは半透明のアクリル或いはポリカーボネートからなる。
そして、図６及び図７に示すように、ＬＥＤ２２で発せられた光Ｌは、導光路としてのガイドライト２６に導かれ、反射部２８で横ルーバー８の揺動軸８ａに向けて反射される。その光Ｌは、導光路として、揺動軸８ａを通って横ルーバー８内に導かれ、横ルーバー８内を横方向に通り、横ルーバー８に設けられた光反射用孔部３０で反射される。
【００２６】
孔部３０は、横ルーバー８をくり抜くように形成され、その孔部３０の空間（空気）と、横ルーバー８との光の屈折率の差で、光Ｌがスライダーノブ１０に向けて反射される。反射された光Ｌは、導光路として、スライダーノブ１０の導光部３２に導かれ、発光部３３が光るようになっている。この光るスライダーノブ１０により、乗員がそのノブ１０を認識し易くなり、イルミネーションにもなる。
【００２７】
なお、図８及び図９に、本発明の実施形態の図６及び図７の構成の変形例を示す。図８は、本発明の実施形態の変形例による横ルーバー及び光路に関する部品を示す斜視図であり、図９は、本発明の実施形態の変形例による横ルーバー、スライダーノブ及び光路に関する部品を示す平面図である。
図８及び図９に示すように、光源であるＬＥＤ２２は、横ルーバー８の揺動軸８ａに隣接して設けられる。横ルーバー８内の導光路は、図６及び図７と同様であり、揺動軸８ａから入社された光Ｌは、横ルーバー８内に導かれ、孔部３０で反射され、反射された光はスライダーノブ１０の導光部３２に導かれる。
【００２８】
次に、図１０乃至図１２により、本発明の実施形態による、横ルーバー及びスライダーノブの構造及び導光路について、より詳細に説明する。図１０は、本発明の実施形態による横ルーバー及びスライダーノブの光の導路及び反射を説明するための平面図であり、図１１は、図１０のXIで示す部分の部分拡大断面図であり、図１２は、本発明の実施形態によるスライダーノブの断面を示す断面図である。
【００２９】
図１０に示すように、揺動軸８ａから横ルーバー８に導かれた光Ｌは、孔部３０の前端部に段状に形成された第１乃至第３傾斜部３０ａ〜ｃで反射される。これらの傾斜部３０ａ〜ｃで反射された光は、スライダーノブ１０に取り付けられた導光部３２に導かれる。導光部３２は、その発光部３３のもともと透明な部分に粒状に細かくしぼ加工が施されるか、半透明のアクリル又はポリカーボネートからなり、光を分散して室内側に放射するようになっている。
【００３０】
図１１に示すように、このスライダーノブ１０が取り付けられる横ルーバー８は、導かれる光を吸収しないように、光を導く部分以外が白色のベース塗料で塗られた白色層３４を有し、さらに、ダッシュボード１などの色彩の統一感などをもたせるなどの外観上の理由により黒色の若しくはその他の色の塗料で塗られた黒色層３６を有する。そして、横ルーバー８の前方縁には光を前方に向けてまっすぐ透過するための非塗装部８ｃを有する。
【００３１】
また、符号３８で示す領域は、上述した塗装層３４、３６を設けないように、それらの塗装の際、マスキングされた部分である。この符号３８で示す非塗装部により傾斜部３０ａ、３０ｂでの反射が可能になる。
図１２に示すように、スライダーノブ１０は、そのスライダーノブ本体１０ａが不透明なポリプロピレンやＡＢＳ樹脂で形成され、その前方側の開口部１０ｂに、その内側から上述したようなしぼ加工あるいは半透明の発光部３３を有する導光部３２が嵌め込まれて取り付けられている。
【００３２】
なお、光を導くことが出来れば、スライダーノブ１０及びこのスライダーノブ１０が取り付けられる横ルーバー８の少なくとも一部のみを、導光路として、透明或いは半透明にしても良い。或いは、白色及び黒色の塗料を塗らず、空気との反射で、スライダーノブ１０及びこのスライダーノブ１０が取り付けられる横ルーバー８の中を光が導かれるようにしても良い。また、上述したガイドライト２６も、空気との反射で横ルーバー８に光を導くようになっている。
【００３３】
次に、図１３乃至図１５に、本発明の実施形態による図１２に示すスライダーノブの変形例を示す。図１３乃至図１５は、それぞれ、本発明の実施形態の変形例によるスライダーノブを示す断面図である。
先ず、図１３に示すように、本実施形態の変形例では、スライダーノブ１０は、発光部１０ｃを有し、内側にしぼ加工の表面を有する。或いは、あるいは半透明材のスライダーノブ本体１０ａを有する。そして、それらの外方縁部には、図１１に示す横ルーバー８と同様に、導かれる光を吸収しないように、光を導く部分以外が白色のベース塗料で塗られた白色層４４と、ダッシュボード１などの色彩の統一感などをもたせるなどの外観上の理由により黒色若しくはその他の色の塗料で塗られた黒色層４６と、を有する。発光部１０ｃは、上述した塗装層４４、４６をスライダーノブ本体１０ａに設けた後、レーザー加工で除去して形成するようになっている。なお、発光部１０ｃは、しぼ加工表面を有し、あるいは、本体１０ａを半透明材として白色層４４を有さないものとしても良い。
【００３４】
次に、図１４に示すように、本実施形態の変形例では、スライダーノブ１０は、内側にしぼ加工表面を有する。或いは、半透明材のスライダーノブ本体１０ａを有する。このスライダーノブ本体１０ａは、その外縁に、半透明の塗装層４５を有し、そのさらに外縁に、光を通さない塗装層４７を有する。これらの塗装層をレーザー加工で除去して、発光部１０ｃが形成される。
次に、図１５に示すように、本実施形態の変形例では、スライダーノブ１０は、その全体が、しぼ加工あるいは半透明のスライダーノブ本体１０ａで構成されている。
【００３５】
次に、図１６乃至図２０により、本発明の実施形態の変形例による横ルーバーの構成を説明する。図１６乃至図２０は、それぞれ、本発明の実施形態の変形例による横ルーバーの構成を示す平面図である。
先ず、図１６に示すように、揺動軸８ａの光が入射される部分は、凹レンズ状に形成され、その揺動軸８ａを介して入射された光Ｌは、広がりながら孔部３０に向けて導かれる。孔部３０は、横ルーバー８の延びる方向に対して斜めに延びるように形成され、光Ｌは、第１乃至第５傾斜部３０ｄ〜ｈで反射される。その反射された光Ｌは、スライダーノブ１０に向けて互いに平行な方向に導かれる。横ルーバー８の前縁部には、前方に向けて凹状に切り欠いて形成された凹レンズ部５０が形成され、孔部３０から導かれる光Ｌは、この凹レンズ部５０により拡げられて、スライダーノブ１０の導光部３２に入射され、この入射した光Ｌは、導光部３２でさらに拡散されて、室内へと放射される。
【００３６】
次に、図１７に示すように、揺動軸８ａの光が入射される部分は、凹レンズ状に形成され、その揺動軸８ａを介して入射された光Ｌは、広がりながら孔部３０に向けて導かれる。孔部３０は、横ルーバー８の延びる方向に対して斜めに真っ直ぐ延びるように形成され、光Ｌは、その前縁部３０ｉで反射される。その反射された光Ｌは、スライダーノブ１０に向けて互いに平行な方向に導かれる。横ルーバー８には、上述した変形例と同様の凹レンズ部５０が形成され、孔部３０から導かれる光Ｌは、この凹レンズ部５０により拡げられて、スライダーノブ１０の導光部３２に入射され、この入射した光Ｌは、導光部３２でさらに拡散されて、室内へと放射される。
【００３７】
次に、図１８に示すように、揺動軸８ａの光が入射される部分は、平らに形成され、その揺動軸８ａを介して入射された光Ｌは、真っ直ぐ孔部３０に向けて導かれる。孔部３０は、上述した実施形態と同様に、第１乃至第３傾斜部３０ａ〜ｃを有し、これらの傾斜部３０ａ〜ｃで反射された光Ｌは、スライダーノブ１０に向けて互いに平行な方向に導かれる。横ルーバー８の前縁部には、前方に向けて凹状に形成された３つの凹レンズ部５２ａ〜ｃが形成され、孔部３０から導かれる光Ｌは、これらの凹レンズ部５２ａ〜ｃにより拡げられて、スライダーノブ１０の導光部３２に入射され、この入射した光Ｌは、導光部３２でさらに拡散されて、室内へと放射される。
【００３８】
次に、図１９に示すように、揺動軸８ａの光が入射される部分は、凹レンズ状に形成され、その揺動軸８ａを介して入射された光Ｌは、広がりながら孔部３０に向けて導かれる。孔部３０は、横ルーバー８の延びる方向に対して斜めに且つ前方に向けて凸状に湾曲し、光Ｌは、前縁部３０ｊで反射される。その反射された光Ｌは、スライダーノブ１０に向けて拡がりながら進む。この変形例では、レンズ部は設けられず、代わりに、前縁部３０ｊで光が分散される。孔部３０から導かれる分散された光Ｌは、スライダーノブ１０の導光部３２に入射され、この入射した光Ｌは、導光部３２でさらに拡散されて、室内へと放射される。
【００３９】
次に、図２０に示すように、揺動軸８ａから入射された光Ｌは、著千滴に孔部３０に向けて導かれる。孔部３０は、横ルーバー８の延びる方向に対して斜めに延びており、その前縁部３０ｋで反射される。その反射された光Ｌは、スライダーノブ１０に向けて互いに平行な方向に導かれる。この変形例では、横ルーバー８の前縁部には、前方に向けて突出するレンズ部５４が形成されている。このレンズ部は、Ｕ字状に延びそれぞれ凹状に形成されたレンズ部５４ａ、５４ｂを有する。孔部３０から導かれる光Ｌは、これらの凹レンズ部５４ａ、５４ｂにより拡散されて、スライダーノブ１０の導光部３２に入射され、この入射した光Ｌは、導光部３２でさらに拡散されて、室内へと放射される。
【図面の簡単な説明】
【００４０】
【図１】本発明の実施形態によるベンチレータが装着されたダッシュボードを示す概略図である。
【図２】本発明の実施形態によるダッシュボードに装着される前のベンチレータを斜め上方から見た斜視図である。
【図３】本発明の実施形態によるベンチレータを分解した状態での縦ルーバ部品を示す斜視図である。
【図４】本発明の実施形態によるベンチレータを分解した状態での横ルーバー部品を示す斜視図である。
【図５】本発明の実施形態によるベンチレータを分解した状態でのスライダーノブを示す斜視図である。
【図６】本発明の実施形態による横ルーバー及び光路に関する部品を示す斜視図である。
【図７】本発明の実施形態による横ルーバー、スライダーノブ及び光路に関する部品を示す平面図である。
【図８】本発明の実施形態の変形例による横ルーバー及び光路に関する部品を示す斜視図である。
【図９】本発明の実施形態の変形例による横ルーバー、スライダーノブ及び光路に関する部品を示す平面図である。
【図１０】本発明の実施形態による横ルーバー及びスライダーノブの光の導路及び反射を説明するための平面図である。
【図１１】図１０のXIで示す部分の部分拡大断面図である。
【図１２】本発明の実施形態によるスライダーノブの断面を示す断面図である。
【図１３】本発明の実施形態の変形例によるスライダーノブを示す断面図である。
【図１４】本発明の実施形態の変形例によるスライダーノブを示す断面図である。
【図１５】本発明の実施形態の変形例によるスライダーノブを示す断面図である。
【図１６】本発明の実施形態の変形例による横ルーバーの構成を示す平面図である。
【図１７】本発明の実施形態の変形例による横ルーバーの構成を示す平面図である。
【図１８】本発明の実施形態の変形例による横ルーバーの構成を示す平面図である。
【図１９】本発明の実施形態の変形例による横ルーバーの構成を示す平面図である。
【図２０】本発明の実施形態の変形例による横ルーバーの構成を示す平面図である。
【符号の説明】
【００４１】
２  ベンチレータ
６、８  ルーバー
１０  スライダーノブ
８ａ  揺動軸
２２  ＬＥＤ
３０  光反射用孔部
３２  スライダーノブの発光部
５０  凹レンズ部
【図１】
2010143338.tif 000003
【図２】
2010143338.tif 000004
【図３】
2010143338.tif 000005
【図４】
2010143338.tif 000006
【図５】
2010143338.tif 000007
【図６】
2010143338.tif 000008
【図７】
2010143338.tif 000009
【図８】
2010143338.tif 000010
【図９】
2010143338.tif 000011
【図１０】
2010143338.tif 000012
【図１１】
2010143338.tif 000013
【図１２】
2010143338.tif 000014
【図１３】
2010143338.tif 000015
【図１４】
2010143338.tif 000016
【図１５】
2010143338.tif 000017
【図１６】
2010143338.tif 000018
【図１７】
2010143338.tif 000019
【図１８】
2010143338.tif 000020
【図１９】
2010143338.tif 000021
【図２０】
2010143338.tif 000022